(57)【要約】【課題】通常の難着雪リング成型用半割りダイスを使用して樹脂漏れなく製造できる低風音難着雪電線を提供する。【解決手段】外周面にらせん状突起２を有する低風音電線１の長手方向に所定の間隔をあけて難着雪リング４を設けた低風音難着雪電線において、前記難着雪リング４が、低風音電線１の外周に前記らせん状突起２を含めて外周面が断面円形になるように取り付けられた内周リング部４Ａと、この内周リング部４Ａの外周に樹脂成型により形成された外周リング部４Ｂとから構成されているもの。内周リング部４Ａの外周に半割りダイスを装着して樹脂成型により外周リング部４Ｂを形成する。【選択図】図１
2010170851.tif 000002
【特許請求の範囲】
【請求項１】
外周面にらせん状突起を有する低風音電線の長手方向に所定の間隔をあけて難着雪リングを設けた低風音難着雪電線において、前記難着雪リングは、前記低風音電線の外周に前記らせん状突起を含めて外周面が断面円形になるように取り付けられた内周リング部と、この内周リング部の外周に樹脂成型により形成された外周リング部とから構成されていることを特徴とする低風音難着雪電線。
【請求項２】
前記内周リング部は、低風音電線の外周に、自己融着性テープを巻いて外周面が断面円形になるように成形したもの又は半硬化樹脂テープを巻いて外周面が断面円形になるように成形し硬化させたものからなる請求項１記載の低風音難着雪電線。
【請求項３】
外周面にらせん状突起を有する低風音電線の長手方向に所定の間隔をあけて難着雪リングを設けた低風音難着雪電線において、前記難着雪リングは、前記低風音電線の外周の前記らせん状突起以外の部分に、前記らせん状突起を含めた外周面が断面円形となるように取り付けられた内周リング部と、この内周リング部の外周に前記らせん状突起上を含めて樹脂成型により形成された外周リング部とから構成されていることを特徴とする低風音難着雪電線。
【請求項４】
前記内周リング部は、複数の円弧状樹脂成型体よりなり、接着により低風音電線に取り付けられている請求項３記載の低風音難着雪電線。
【請求項５】
請求項１〜４記載の低風音難着雪電線を製造する方法であって、低風音電線の外周に内周リング部を取り付ける工程と、内周リング部の外周に外周リング部成型用の半割りダイスを装着して外周リング部を成型する工程とを有することを特徴とする低風音難着雪電線の製造方法。
【発明の詳細な説明】
【技術分野】
【０００１】
本発明は、低風音電線に難着雪リングを一体に形成した低風音難着雪電線と、その製造方法に関するものである。
【背景技術】
【０００２】
架空送電線の着雪の発達を防止するため、電線に予め樹脂成型体よりなる難着雪リングを取り付けた難着雪電線が実用化されている（特許文献１参照）。難着雪化の対象となる電線は、今まで一般的な電線であるＡＣＳＲであったが、最近、図５（Ａ）に示すような、外周面にらせん状突起２を有する低風音電線１も難着雪化したいというニーズが増えてきている。低風音電線１のらせん状突起２は通常、撚線の最外層に他の素線よりも断面サイズの大きい突起素線を撚り込むことにより形成される（特許文献２参照）。
【０００３】
このような低風音電線を難着雪化した低風音難着雪電線は図５（Ｂ）、（Ｃ）のような形態となる。すなわち、低風音難着雪電線３は、上記のような低風音電線１に、長手方向に所定の間隔をおいて樹脂成形により難着雪リング４を一体に形成したものとなる。
【先行技術文献】
【特許文献】
【０００４】
【特許文献１】特開平５−３８０３２号公報
【特許文献２】特開平７−９４０２３号公報
【発明の概要】
【発明が解決しようとする課題】
【０００５】
図５（Ｂ）、（Ｃ）に示すような低風音難着雪電線３を製造するには、低風音電線１が所定の長さ走行する毎に、低風音電線１に難着雪リング成型用の半割りダイスを装着して、樹脂を射出成型し、難着雪リング３を形成することになる。しかし、低風音電線はらせん状突起を有しているため、通常の難着雪リング成型用の半割りダイスを使用しただけでは、電線とダイスの間に隙間ができ、射出成型時に樹脂が漏れ出してしまうので、難着雪リングを形成することができない。
【０００６】
本発明の目的は、通常タイプの難着雪リング成型用半割りダイスを使用して製造できる低風音難着雪電線と、その製造方法を提供することにある。
【課題を解決するための手段】
【０００７】
本発明は、外周面にらせん状突起を有する低風音電線の長手方向に所定の間隔をあけて難着雪リングを設けた低風音難着雪電線において、前記難着雪リングは、前記低風音電線の外周に前記らせん状突起を含めて外周面が断面円形になるように取り付けられた内周リング部と、この内周リング部の外周に樹脂成型により形成された外周リング部とから構成されていることを特徴とするものである。
【０００８】
この発明において、前記内周リング部は、低風音電線の外周に、自己融着性テープを巻いて外周面が断面円形になるように成形したもの又は半硬化樹脂テープを巻いて外周面が断面円形になるように成形し硬化させたものからなることが好ましい。
【０００９】
本発明はまた、外周面にらせん状突起を有する低風音電線の長手方向に所定の間隔をあけて難着雪リングを設けた低風音難着雪電線において、前記難着雪リングは、前記低風音電線の外周の前記らせん状突起以外の部分に、前記らせん状突起を含めた外周面が断面円形となるように取り付けられた内周リング部と、この内周リング部の外周に前記らせん状突起上を含めて樹脂成型により形成された外周リング部とから構成されていることを特徴とするものであってもよい。
【００１０】
この発明において、前記内周リング部は、複数の円弧状樹脂成型体よりなり、接着により低風音電線に取り付けられているものであることが好ましい。
【００１１】
また、本発明に係る低風音難着雪電線の製造方法は、上記のような低風音難着雪電線を製造する方法であって、低風音電線の外周に内周リング部を取り付ける工程と、内周リング部の外周に外周リング部成型用の半割りダイスを装着して外周リング部を成型する工程とを有することを特徴とするものである。
【発明の効果】
【００１２】
本発明によれば、低風音電線の外周に、らせん状突起と同じ高さか、それより若干高い内周リング部を外周面が断面円形になるように取り付け、その外周に外周リング部を樹脂成型により形成するので、外周リング部の樹脂成型には従来同様の半割りダイスを使用して、樹脂漏れの少ない状態で確実に難着雪リングを形成することができる。
【図面の簡単な説明】
【００１３】
【図１】本発明に係る低風音難着雪電線の一実施例を示す、（Ａ）は側面図、（Ｂ）は（Ａ）のＢ−Ｂ線断面図である。
【図２】図１の低風音難着雪電線を製造する方法を示す（Ａ）は縦断面図、（Ｂ）は（Ａ）のＢ−Ｂ線断面図である。
【図３】本発明に係る低風音難着雪電線の他の実施例を示す、（Ａ）は側面図、（Ｂ）は（Ａ）のＢ−Ｂ線断面図である。
【図４】図３の低風音難着雪電線に用いる内周リング部の、（Ａ）は正面図、（Ｂ）は側面図である。
【図５】（Ａ）は低風音電線の一例を示す側面図、（Ｂ）は（Ａ）の低風音電線に難着雪リングを一体に形成した低風音難着雪電線を示す側面図、（Ｃ）は低風音難着雪電線の横断面図である。
【発明を実施するための形態】
【００１４】
以下、本発明の実施の形態について、図面を参照して詳細に説明する。
【００１５】
＜実施例１＞  図１は本発明に係る低風音難着雪電線の一実施例を示す。この低風音難着雪電線３は、外周面にらせん状突起２を有する低風音電線１に、長手方向に所定の間隔をあけて難着雪リング４を取り付けたものである。
【００１６】
この低風音難着雪電線３の特徴は、難着雪リング４が、低風音電線１の外周にらせん状突起２を含めて外周面が断面円形になるように取り付けられた内周リング部４Ａと、この内周リング部４Ａの外周に樹脂成型により形成された外周リング部４Ｂとから構成されていることである。
【００１７】
内周リング部４Ａは、低風音電線１の外周に自己融着性テープを巻いて外周面が断面円形になるように成形したもので構成することができる。また内周リング部４Ａは、低風音電線１の外周に半硬化樹脂テープ（テープ状プリプレグ等）を巻いて外周面が断面円形になるように成形し硬化させたもので構成することもできる。内周リング部４Ａは上記のようにして形成されるため、図１（Ｂ）に示すように、らせん状突起２の外側の部分がそれ以外の部分よりも厚さが薄くなる。
【００１８】
外周リング部４Ｂは、図２に示すように、内周リング部４Ａの外周に難着雪リング成型用の半割りダイス５を装着し、樹脂注入口６からキャビティ７内に樹脂を注入して成型することにより形成される。半割りダイス５は、内周面の軸線方向中間部にキャビティ７を有するもので、らせん状突起のない通常の電線（ＡＣＳＲ等）に難着雪リングを形成する半割りダイスと同様の構造であるが、内周リング部４Ａの外周面が断面円形に形成されているため、上記のような構造であっても成型時に樹脂が漏れ出すことはなく、確実に外周リング部４Ｂを成型することができる。
【００１９】
なお、内周リング部４Ａの幅（軸線方向寸法）は外周リング部４Ｂの幅よりも大きく、外周リング部４Ｂは内周リング部４Ａの幅方向中間部に位置している。これは、半割りダイス５を装着したときに、半割りダイス４Ａのキャビティ７の両側の壁部の内周面が内周リング部４Ａ上に位置して、成型時に樹脂漏れが生じないようにするためである。
【００２０】
＜実施例２＞  図３は本発明に係る低風音難着雪電線の他の実施例を示す。この低風音難着雪電線３が実施例１のものと異なる点は、難着雪リング４が、低風音電線１の外周のらせん状突起２以外の部分に、らせん状突起２を含めた外周面が断面円形となるように取り付けられた内周リング部４Ａと、この内周リング部４の外周にらせん状突起２上を含めて樹脂成型により形成された外周リング部４Ｂとから構成されていることである。
【００２１】
この場合の内周リング部４Ｂは、図４に示すように、２つの円弧状樹脂成型体よりなり、接着により低風音電線に取り付けられている。外周リング部４Ｂの形成の仕方は実施例１と同様である。
【符号の説明】
【００２２】
１：低風音電線
２：らせん状突起
３：低風音難着雪電線
４：難着雪リング
４Ａ：内周リング部
４Ｂ：外周リング部
５：半割りダイス
６：樹脂注入口
７：キャビティ
【図１】
2010170851.tif 000003
【図２】
2010170851.tif 000004
【図３】
2010170851.tif 000005
【図４】
2010170851.tif 000006
【図５】
2010170851.tif 000007